(57)【要約】【課題】本発明はシンク内を簡単に洗浄できるシンク洗浄装置を簡単な構成で実現することを目的とする。【解決手段】天板５とシンク６の接合部に洗浄液を通す洗浄液通路７を備え、前記洗浄液通路７は天板５あるいはシンク６の少なくとも一方に形成した凹状の溝で構成し、前記洗浄液通路７よりシンク内面に洗浄液を吐出する吐出経路９を備え、前記天板５の開口部５ａ全周には前記接合部と洗浄液通路７および吐出経路９を覆う懸垂片５ｂをシンク内壁と隙間を空けて形成し、前記洗浄液通路７に洗浄液を供給する洗浄液供給手段１０を備えることにより、シンク内側壁面や底面に付着した調理ゴミや洗剤垢など広範囲に渡り簡単に洗い流せることができる。【選択図】図１
2005278977.tif 000002
【特許請求の範囲】
【請求項１】
シンクの開口と略相似形の開口部を備えた天板の下面にシンクを取り付け、天板とシンクの接合部に洗浄液を通す洗浄液通路を備え、前記洗浄液通路は天板あるいはシンクの少なくとも一方に形成した凹状の溝で構成し、前記洗浄液通路よりシンク内面に洗浄液を吐出する吐出経路を備え、前記天板の開口部全周には前記接合部と洗浄液通路および吐出経路を覆う懸垂片をシンク内壁と隙間を空けて形成し、前記洗浄液通路に洗浄液を供給する洗浄液供給手段を備えたシンク洗浄装置。
【請求項２】
前記吐出経路は洗浄液供給手段の接合部からの距離に対応して、断面積が異なる請求項１に記載のシンク洗浄装置。
【請求項３】
前記洗浄液供給手段は洗浄液の供給および停止と流量調節が可能な流量調節手段を備えた請求項１あるいは２に記載のシンク洗浄装置。
【請求項４】
前記洗浄液供給手段は湯、水、洗剤など種類の異なる洗浄液を単独あるいは複数を混合して供給する選択手段を備えた請求項１〜３に記載のシンク洗浄装置。
【発明の詳細な説明】
【技術分野】
【０００１】
本発明は厨房用のシンクの内側壁面を洗浄する洗浄装置に関するものである。
【背景技術】
【０００２】
従来、この種のシンク洗浄装置はシンクの上縁部または外周部に沿って洗浄液を通す環状管を備えたものが一般的であった（特許文献１参照）。
【０００３】
図５は、特許文献１に記載された従来のシンク洗浄装置を示すものである。図５に示すように、天板１と、前記天板１の開口部に接合するシンク２と、水などの洗浄体の通路として環状管３を前記シンク２の上縁部全周に亘り有しており、前記環状管３には前記洗浄液を吐出する複数の開口４を備えた構成としている。
【特許文献１】特開平１０−２３７９１３号公報
【発明の開示】
【発明が解決しようとする課題】
【０００４】
しかしながら、前記従来の構成では、天板とシンクの取付け作業の他に環状管の取付けやシンク側壁面への穴加工といった追加作業が必要となり、工数増で作業性が悪いといった生産面での課題も有していた。
【０００５】
本発明は、前記従来の課題を解決するもので、実使用上の使い勝手が良いものであるとともに生産性も良いシンク洗浄装置を提供することを目的とする。
【課題を解決するための手段】
【０００６】
前記従来の課題を解決するために、本発明のシンク洗浄装置は、天板とシンクの接合部に洗浄液を通す洗浄液通路を備え、前記洗浄液通路は天板あるいはシンクの少なくとも一方に形成した凹状の溝で構成し、前記洗浄液通路よりシンク内面に洗浄液を吐出する吐出経路を備え、前記天板の開口部全周には前記接合部と洗浄液通路および吐出経路を覆う懸垂片をシンク内壁と隙間を空けて形成し、前記洗浄液通路に洗浄液を供給する洗浄液供給手段を備えたものである。
【０００７】
これによって、シンク内側壁面や底面に付着した調理ゴミや洗剤垢など広範囲に渡り簡単に洗い流せることができるととも生産性を向上させることができる。
【発明の効果】
【０００８】
本発明のシンク洗浄装置は、シンク内側壁面や底面に散乱した調理ゴミや洗剤垢などを簡単に洗い流すことができ常にシンクを清潔できれいな状態にすることができるとともに生産時における工数削減と作業性を向上させることができる。
【発明を実施するための最良の形態】
【０００９】
第１の発明は、シンクの開口と略相似形の開口部を備えた天板の下面にシンクを取り付け、天板とシンクの接合部に洗浄液を通す洗浄液通路を備え、前記洗浄液通路は天板あるいはシンクの少なくとも一方に形成した凹状の溝で構成し、前記洗浄液通路よりシンク内面に洗浄液を吐出する吐出経路を備え、前記天板の開口部全周には前記接合部と洗浄液通路および吐出経路を覆う懸垂片をシンク内壁と隙間を空けて形成し、前記洗浄液通路に洗浄液を供給する洗浄液供給手段を備えたることにより、洗浄液供給装置より供給された洗浄液が吐出経路よりシンク側面に吐出され、シンク内側壁面や底面に散乱した調理ゴミや洗剤垢などを簡単に洗い流すことができる。また、前記洗浄液通路や吐出経路の形成はシンクを天板に取り付けることによって形成されるため追加作業がなく、部品点数の削減にもつながり、作業性を向上させることができる。
【００１０】
第２の発明は、第１の発明の吐出経路を洗浄液供給手段の接合部からの距離にしたがって、断面積が異なるようにすることで、吐出圧力の高い洗浄液供給装置の接続付近の吐出経路の面積を小さくし、距離が離れ吐出圧力が低くなる部分は吐出経路の断面積を大きくすることにより、全周に満遍なく洗浄液を供給することが可能となり、シンク内側壁面や底面に散乱した調理ゴミや洗剤垢などを広範囲に亘り洗い流すことができる。
【００１１】
第３の発明は、第１または第２の発明の洗浄液供給手段を洗浄液の供給および停止と流量調節が可能とすることにより、洗浄液の供給量や停止を自由にコントロールすることが可能となり、使用者の使用実態に合わせてシンクの洗浄タイミングや洗浄液の流量を調節することができる。
【００１２】
第４の発明は、第１〜３のいずれか１つの発明の洗浄液供給手段を湯、水、洗剤など種類の異なる洗浄液を単独あるいは複数を混合して供給する手段を備えたことにより、洗浄液の種類や濃度あるいは温度を調整することが可能となり、シンクの汚れにあわせて最適な洗浄液を選択して供給することにより、効果的に洗浄することができる。
【００１３】
以下、本発明の実施の形態について、図面を参照しながら説明する。なお、この実施の形態によって本発明が限定されるものではない。
【００１４】
（実施の形態１）
図１は、本発明の実施の形態におけるシンク洗浄装置の断面図を示すものであり、図２は天板とシンクの接合部の要部の詳細を示す断面図であり、図３はシンク単体を示す平面図であり、図４は液体供給手段の構成を示す模式図である。
【００１５】
図１において、天板５はシンク６に対応する開口部５ａを備えており、開口部５ａには全周に亘り下方に垂下した懸垂片５ｂが形成されている。開口部５ａ周辺の下面にはシンク６のフランジ部６ａが密着固定されており、フランジ部６ａの全周には凹状の溝６ｂが形成されており、天板５の下面とで洗浄液通路７を構成している。
【００１６】
図２に示すように、シンク６の後方中央に位置する洗浄液通路７には洗浄液供給接続口８が設置されている。
【００１７】
図２および図３に示すように、洗浄液通路７とシンク６の内側壁面６ａ間を連通する吐出経路９が全周に亘り適当な間隔で形成されている。吐出経路９は洗浄液供給接続口８の付近は幅が狭く、遠くなるほど広くなるように形成されており、液体供給接続口８の近くと離れた位置での洗浄液の吐出量がほぼ等しくなるような構成となっている。
【００１８】
前記天板５の懸垂片５ｂは天板５とシンク６のフランジ部６ａの接合部および吐出経路９を覆うように形成し、前記シンク６の内側壁面６ｃとの間に一定の空間を形成し、シンク上方から吐出経路９が見えないように隠蔽するとともに、洗浄液がシンク６の内側壁面に６ｃに沿って流れるようになっている。
【００１９】
洗浄液供給手段１０は図１に示すように天板５下方に設置した供給手段本体１１と天板５の上面に設置した操作部１２で構成してあり、供給手段本体１１は図４に示すように洗剤タンク１３と、給水管１４と、給湯管１５がそれぞれ電磁弁１３ａ、１４ａ、１５ａを介して混合部１６に接続してあり、混合部１６に接続した液体供給管１７の他端は操作部１２に接続してある。
【００２０】
操作部１２は洗浄液の流量を停止状態から無段階に調節できる流量調節手段１８を備えており、操作部１２の表面に設置したコック１８ａで操作できる。また、洗浄液として使用する洗剤と、水と、湯を、単独あるいは複数で選択できる選択手段１９として洗剤スイッチ１９ａと、水スイッチ１９ｂと、湯スイッチ１９ｃが設けてあり、これらのスイッチは前記電磁弁１３ａ、１３ｂ、１３ｃと電気的に接続してある。
【００２１】
操作部に接続した吐出管２０はシンク６に設けた洗浄液供給接続口８に接続してあり、洗浄液を洗浄液通路７に供給できる構成となっている。
【００２２】
以上のように構成されたシンク洗浄装置について、以下その動作、作用を説明する。
【００２３】
まず、操作部１２のコック１８ａを操作し、次に選択手段１９で洗浄液を選択する。例えば洗剤スイッチ１９ａと湯スイッチ１９ｃを選択すると、電磁弁１３ａと１３ｃが開き、洗剤と湯が混合部１６に供給され、洗剤と湯の混ざった洗浄液がつくられ、洗浄液は操作部１２の流量調節手段１８を通り、吐出管２０を経て洗浄液通路７に供給され吐出経路９よりシンク６の内側壁面６ｃに吐出しシンク６の内面を洗浄することができる。
【００２４】
一定時間経過後、選択手段１９の洗剤スイッチ１９ａと湯スイッチ１９ｃを切り、水スイッチ１９ｂに切り替えることにより、吐出経路９からは水が吐出し、シンク６を水洗いすることにより、一連のシンク洗浄の作業を行うことができる。
【００２５】
上記操作中に、コック１２の操作により洗浄液の供給量を調節することができるのでシンクの汚れ具合に合わせて調節することができる。
【００２６】
また、シンク内に厨芥等が散乱しているときは、水を大量に吐出することにより、厨芥を排水口の近辺に簡単に集めることができ、シンク内の清掃を簡単に行うこともできる。
【００２７】
以上のように、本実施の形態において天板とシンクを利用し形成した洗浄液通路７を備え、前記シンクの上部全周に沿って洗浄液を流しだす吐出経路を備えることで、前記シンクの内側壁面や底面に付着した調理ゴミや洗剤垢などを広範囲に渡り簡単に洗い流せることができるとともに環状管の取付け作業やシンク側面の吐出口の穴加工といった２次作業がなくなり工数削減と作業性といった生産性を向上させることができる。さらに前記洗浄体の流量調節も可能な流量調節手段を天板上に取付けることにより、使用者の使用実態に合わせてシンクの洗浄タイミングや洗浄体の流量を簡単で自由に調節することができる。
【００２８】
また、本実施の形態の洗浄液供給手段に湯、水、洗剤など種類の異なる洗浄液の全てまたはいずれかを備えるとともに選択手段で前記洗浄液の供給を選択切替操作する機能を備えることで、使用者の好みに合わせて洗液を選択できるとともに、前記洗浄液の通路や吐出経路に付着した洗剤垢などを湯を流すことで洗浄することができる。
【産業上の利用可能性】
【００２９】
以上のように、本発明にかかるシンク洗浄装置は、シンク内側壁面や底面に散乱した調理ゴミや洗剤垢などを簡単に洗い流すことができるので、洗面台や、浴槽等の洗浄用途にも適用できる。
【図面の簡単な説明】
【００３０】
【図１】本発明の実施の形態１におけるシンク洗浄装置の断面図
【図２】本発明の実施の形態１におけるシンク洗浄装置の要部断面図
【図３】本発明の実施の形態１におけるシンクの平面図
【図４】本発明の実施の形態１における液体供給手段の模式図
【図５】従来のシンク洗浄装置の断面図
【符号の説明】
【００３１】
５  天板
５ａ  開口部
５ｂ  懸垂片
６  シンク
７  洗浄液通路
９  吐出経路
１０  洗浄液供給手段
１８  流量調節手段
１９  選択手段
【図１】
2005278977.tif 000003
【図２】
2005278977.tif 000004
【図３】
2005278977.tif 000005
【図４】
2005278977.tif 000006
【図５】
2005278977.tif 000007